(57)【要約】【課題】構造が簡単で組み立て作業も容易であり、低廉な製造コストにより組み立て精度を管理することができるディスククランパを備えたディスク装置を提供することにある。【解決手段】ディスククランパ５は、板状の支持部材５０と、該支持部材５０に回転可能に支持される回転子６０とで構成されている。支持部材５０は、機構組立体１３のシャーシの上部に架設され、そのほぼ中央部に円形の開口５１が形成されている。回転子６０は、開口５１に挿通された回転子本体６１と、その内部に収納されたリング状の永久磁石６５と、該永久磁石６５の上面に設置されたバックヨーク６６とで構成されている。このようなディスククランパ５の他に、ディスクトレイ４とメイン回路基板組立体１２を備えた機構組立体１３が底板１１とケース１４とフロントベゼル１６から成る筐体に収納されて、ディスク装置を構成する。【選択図】図１
2005032437.tif 000002
【特許請求の範囲】
【請求項１】
底板と、該底板の上部に設けられたメイン回路基板組立体と、該メイン回路基板組立体の上部に設けられ、シャーシを備えた機構組立体と、該機構組立体のシャーシに取り付けられたディスククランパと、該機構組立体に前後方向に摺動可能に設けられたディスクトレイと、前記機構組立体の上側を覆うケースと、前記機構組立体の前面を覆うように前記底板およびケースに取り付けられたフロントベゼルと、を備えたディスク装置であって、
前記シャーシは左右および後方縁部に沿ってコの字状に立設された壁部から構成されると共に、前記シャーシに対し上下動可能に搭載されたターンテーブルを備えたディスク回転駆動手段とを有し、
前記ディスククランパは、前記シャーシの左右側壁部の上部に前記ターンテーブルの両側に位置するように設けられた取り付け部の間に架設され、開口が形成された板状の支持部材と、該支持部材に対し回転可能に設けられた回転子とを備え、
前記支持部材は、その両端が前記取り付け部に固定されており、前記回転子は、前記開口内に位置し、その下部が該開口からディスク装置内部側へ突出している有底の扁平ドラム状の回転子本体と、該回転子本体の上部外周に設けられ、前記支持部材の開口の縁部において該支持部材上面と係合するリブとを有してなり、
ディスクを再生する際は、前記ターンテーブルが上昇し、前記回転子本体の底部と前記ターンテーブルとが吸着してそれらの間で該ディスクを挟持するとともに、前記リブが前記支持部材の上面から離反するよう構成したことを特徴とするディスク装置。
【請求項２】
前記開口は円形の開口であり、前記回転子本体の外径より大きく、前記リブの外径より小さい直径を有し、
前記ディスク装置は、前記支持部材の前記開口の上縁と前記ケースの天板部の裏面との間に前記回転子を上下動可能に収容する空間を備え、
該空間の高さ方向の寸法は前記回転子の高さよりも小さく、かつターンテーブルと回転子が吸着した時、回転子の上面と天板の裏面が当接しない高さであることを特徴とする請求項１に記載のディスク装置。
【請求項３】
前記支持部材は、その両側部において上方に向かって立ち上がるように形成された折り曲げ部を備え、ディスク装置組み立て時において、該折り曲げ部の上縁が前記ケースの天板の裏面と当接することを特徴とする請求項２に記載のディスク装置。
【請求項４】
前記ディスククランパは、前記ターンテーブルの吸着時に前記回転子と前記ターンテーブルとの回転中心を一致させる中心合わせ手段を有する請求項１または請求項２に記載のディスク装置。
【発明の詳細な説明】
【技術分野】
【０００１】
本発明は光ディスクを再生または記録するディスク装置に関する。
【背景技術】
【０００２】
ＣＤ−ＲＯＭ等の光ディスクを再生するディスク装置が知られている。図８は、従来のディスク装置の構造を模式的に示す断面側面図である。同図に示すように、従来のディスク装置１Ｂは、装置本体２と該装置本体２に対し、前後方向（図中横方向）に移動し、出し入れされるディスクトレイ４とから構成されている。
【０００３】
装置本体２は、底板１１と、該底板１１の上部に設けられたメイン回路基板組立体１２と、該メイン回路基板組立体１２の上部に設けられた機構組立体１３と、該機構組立体１３の上側を覆うケース１４とから構成されている。ケース１４は、天板部１４ａを有しその下面（内面）側には、ディスククランパ３８が後述するターンテーブル２６と同軸的に回転可能に設置されている。
【０００４】
機構組立体１３は、シャーシ２０を有し、該シャーシ２０には、機構ユニット２２が上下動可能に支持されている。この機構ユニット２２は、ベース２３を有し、該ベース２３には、ターンテーブル回転用のスピンドルモータ２５と、その回転軸に固定されたターンテーブル２６と、光学ヘッド２７と、該光学ヘッド２７を光ディスク３の半径方向に移動する光学ヘッド移動機構（図示せず）とが設けられている。ターンテーブル２６には、ディスククランパ３８を吸着する磁石が内蔵されている。
【０００５】
ベース２３は、その後方（装置本体２の奥部側）端部が弾性体（ゴム等）からなるインシュレータ２９ａを介して、シャーシ２０に対し回動可能に支持されている。図示しない上下動機構の作動により、ベース２３がインシュレータ２９ａを中心として回動し、機構ユニット２２が上下動する。
【０００６】
ディスクトレイ４は、光ディスク３を載置する部材であり、前記上下動機構の作動による機構ユニット２２の上下動に伴って、装置本体２に対し前後方向に、光ディスクの装填位置と光ディスクの排出位置との間を移動する。
【０００７】
ディスク装置１Ｂの非使用時には、ディスクトレイ４は、装置本体２内に収納された状態（ディスク装填位置）にある。この状態でイジェクト操作を行うと、図示しないモータの駆動によりディスクトレイ４が前方へ移動し、装置本体２から外側に突出した位置（ディスク排出位置）まで移動するとともに、機構ユニット２２が下降する（図８参照）。
【０００８】
光ディスク３をディスクトレイ４上に載置し、ローディング操作を行うと、ディスクトレイ４が後方へ移動し、ディスク装填位置まで移動するとともに、機構ユニット２２が上昇する。これにより、ディスククランパ３８がターンテーブル２６に磁気的に吸着され、ディスククランパ３８とターンテーブル２６との間に光ディスク３が挟持され、光学ヘッド２７による再生が可能となる。
【０００９】
イジェクト操作を行うと、ディスク装置１Ｂの各機構が前記ローディング時とは逆の順序でかつ逆方向に作動し、光ディスク３は、クランプが解除され、ディスクトレイ４に載って排出される。
【００１０】
このようなディスク装置１Ｂにおいて、ディスククランパ３８は、板金３８２と樹脂モールド部３８３とをインサート成形により一体的に形成してなるクランプ用円盤３８１と、板金３８２の中心にカシメにより固着されたカシメピン３８４とを有し、ケース１４に設けられた絞り部１４１ａの底部に穿設された孔１４１ｂにカシメピン３８４を挿通し、カシメピン３８４の絞り部１４１ａ側の端部に、孔１４１ｂより大径のフランジ部を有するカシメネジ３８５を螺入することにより、ケース１４に対し回転可能に支持されている。
【００１１】
ところで、ＣＤ−ＲＯＭ再生用のディスク装置においては、光ディスク３の回転速度が、従来の２倍速に代わり、４倍速が主流となりつつある。このような高速化に伴い、光ディスク３の挟持力の増大が必要となるが、前述した従来のディスククランパ３８では、光ディスク３の挟持力が弱く、高速化に対応できない。すなわち、ディスククランパ３８は、ターンテーブル２６側に設置された永久磁石に吸着されて光ディスク３の挟持力を得るが、ターンテーブル２６には、寸法上の制約等があることから、より強力な永久磁石を設置することができず、また、小型でより強力な永久磁石が設置できたとしても、永久磁石が高価なものとなってしまう。
【００１２】
また、ディスククランパ３８では、ケース１４の天板部１４ａにプレス成形等により絞り部１４１ａを形成し、さらに孔１４１ｂを穿設する工程が必要であり、しかも、絞り部１４１ａおよび孔１４１ｂの形成位置をスピンドルモータ２５の回転軸に一致させるための位置合わせを行わねばならず、製造工程が複雑であるという欠点がある。
【００１３】
また、ディスククランパ３８自体の構造も複雑であり、特に製造に手間がかかる切削部品であるカシメピンや、特殊なクランパネジを用いなければならず、さらに、その取り付け作業にも手間がかかるという欠点もある。
【発明の開示】
【発明が解決しようとする課題】
【００１４】
本発明の目的は、構造が簡単で組み立て作業も容易であり、しかも回転子の中心とターンテーブルの中心の位置合わせも確実に行うことができ、低廉な製造コストにより組み立て精度を管理することができるディスククランパを備えたディスク装置を提供することにある。
【課題を解決するための手段】
【００１５】
上記目的を達成するために、本発明に係るディスク装置は、底板と、該底板の上部に設けられたメイン回路基板組立体と、該メイン回路基板組立体の上部に設けられ、シャーシを備えた機構組立体と、該機構組立体のシャーシに取り付けられたディスククランパと、該機構組立体に前後方向に摺動可能に設けられたディスクトレイと、該機構組立体の上側を覆うケースと、前記機構組立体の前面を覆うように前記底板およびケースに取り付けられたフロントベゼルと、を備えたディスク装置であって、前記シャーシは左右および後方縁部に沿ってコの字状に立設された壁部から構成されると共に、前記シャーシに対し上下動可能に搭載されたターンテーブルを備えたディスク回転駆動手段とを有し、前記ディスククランパは、前記シャーシの左右側壁部の上部に前記ターンテーブルの両側に位置するように設けられた取り付け部の間に架設され、開口が形成された板状の支持部材と、該支持部材に対し回転可能に設けられた回転子とを備え、前記支持部材は、その両端が前記取り付け部に固定されており、前記回転子は、前記開口内に位置し、その下部が該開口からディスク装置内部側へ突出している有底の扁平ドラム状の回転子本体と、該回転子本体の上部外周に設けられ、前記支持部材の開口の縁部において該支持部材上面と係合するリブとを有してなり、ディスクを再生する際は、前記ターンテーブルが上昇し、前記回転子本体の底部と前記ターンテーブルとが吸着してそれらの間で該ディスクを挟持するとともに、前記リブが前記支持部材の上面から離反するよう構成したことを特徴とする。
【００１６】
さらに、本発明に係るディスク装置は、前記開口が円形の開口であり、前記回転子本体の外径より大きく、前記リブの外径より小さい直径を有し、前記ディスク装置は、前記支持部材の前記開口の上縁と前記ケースの天板部の裏面との間に前記回転子を上下動可能に収容する空間を備え、該空間の高さ方向の寸法は前記回転子の高さよりも小さいことを特徴とする。
【００１７】
さらに、本発明に係るディスク装置は、前記支持部材が、その両側部において上方に向かって立ち上がるように形成された折り曲げ部を備え、ディスク装置組み立て時において、該折り曲げ部の上縁が前記ケースの天板の裏面と当接することを特徴とする。
【００１８】
さらに、本発明に係るディスク装置は、前記ディスククランパは、前記ターンテーブルの吸着時に前記回転子と前記ターンテーブルとの回転中心を一致させる中心合わせ手段を有する。
【００１９】
本発明の上述したまたはそれ以外の目的、構成および効果は、添付図面を参照して行う以下の好適実施形態の説明からより明らかとなるであろう。
【発明の効果】
【００２０】
本発明のディスク装置は、特に、ディスククランパの構造が簡単であり、その組み立てや取り付け作業も容易である。すなわち、本発明のディスククランパは、ターンテーブルが上下動可能に搭載されたシャーシの左右側壁部の上部に設けた取り付け部にクランパ支持部材を固定することにより、回転子（クランパ）とターンテーブルが同一部品（シャーシ）上に設けられるため、回転子をターンテーブルの回転軸に一致させるための位置合わせが容易に行え、ディスク装置の製造工程と構造が簡素化でき、組み立てや取り付けが容易に行える。また、従来のような、製造に手間がかかる切削部品であるカシメピンや特殊なクランパネジが不要となり、製造コストも安価となる。
【００２１】
特に、本発明のディスク装置は、ディスクトレイ、ディスククランパおよび回路基板組立体が一体に設けられた機構組立体を、ケースと底板とフロントベゼルからなる筐体に収容する構成としたため、ディスク装置全体の組立や各部品の取り付け作業が容易となり、ディスク装置の構造が簡素化される。
【００２２】
さらに、支持部材の開口の上縁とケースの天板部の裏面との間に回転子を上下動可能に収容する空間を備え、天板部の裏面に回転子の上方向への移動を規制する機能を持たせることにより、部品点数を減少させ、組み立て容易性を確保することにより、製造コストの低減を図ることができる。
【００２３】
さらに、支持部材が、その両側部において上方に向かって立ち上がるように形成された折り曲げ部を備え、ディスク装置組み立て時において、折り曲げ部の上縁がケースの天板の裏面と当接するようになっている。このため、組立工程においてケースを取付ける際に、天板の裏面が回転子に接触することが防止され、回転子が開口から外れた状態で組みつけられたり、回転子が支持部材と天板との間に挟まれて生じる損傷を防止することができる。
【００２４】
回転子とターンテーブルとの回転中心を一致させる中心合わせ手段を設けた場合には、ディスク回転時のズレや偏心を防止することができる。
【発明を実施するための最良の形態】
【００２５】
以下、本発明のディスククランパおよびこれを備えたディスク装置を添付図面に示す好適実施例に基づいて詳細に説明する。
【００２６】
図１は、本発明のディスク装置の実施例を示す分解斜視図、図２は、図１に示すディスク装置の平面図、図３は、図１に示すディスク装置におけるカムホイールの構成を示す斜視図、図４は、図１に示すディスク装置におけるディスクトレイの裏面の構成を示す底面図、図５および図６は、それぞれ、図１に示すディスク装置の断面側面図、図７は、図１に示すディスク装置に搭載された本発明のディスククランパの断面側面図である。
【００２７】
図１に示すように、本発明のディスク装置１Ａは、ＣＤ−ＲＯＭ等の光ディスク３を再生する装置であって、主に、装置本体２と、該装置本体２に対し、前後方向（水平方向）に移動し、出し入れされる光ディスク搬送用のディスクトレイ４とから構成されている。
【００２８】
装置本体２は、底板１１と、該底板１１の上部に設けられたメイン回路基板組立体１２と、該メイン回路基板組立体１２の上部に設けられた機構組立体１３と、該機構組立体１３のシャーシ２０に取り付けられた本発明のディスククランパ５と、機構組立体１３の上側を覆うケース１４とから構成されている。
【００２９】
ケース１４は、天板部１４ａと、左右の側板部１４ｂ、１４ｃと、背板部１４ｄと、前板部１４ｅとを有する。天板部１４ａの内側（装置内部側）には、ディスククランパ５が設置され、後述するようにディスククランパ５の回転子６０の上方向への移動を規制する。
【００３０】
前板部１４ｅには、前記ディスクトレイ４が通る細幅の開口１４１ｅが形成されている。この前板部１４ｅには、スポンジ製等のクッション材よりなる枠１５を介してフロントベゼル１６が取り付けられている。フロントベゼル１６にも、前記ディスクトレイ４が出し入れされる細幅の開口１６ａが形成されている。
【００３１】
機構組立体１３は、略器形状のシャーシ２０を有している。このシャーシ２０は、長方形の略板状の底部２０ａと、該底部２０ａの左右および後方縁部に沿ってコ字状に立設された壁部２０ｂとから構成されている。シャーシ２０のフロントベゼル１６側には、壁部は形成されておらず、開放された状態になっており、ケース１４に組み込まれた際に、前記開口１４１ｅが位置するようになっている。
【００３２】
また、シャーシ２０の左右側の壁部２０ｂには、それぞれ、後述する支持部材５０を取り付ける取り付け部２０ｃが形成されている。
【００３３】
このシャーシ２０には、機構ユニット２２と上下動機構３０とが設けられている。このうち、機構ユニット２２は、シャーシ２０の底部２０ａに形成された凹没空間２１の中央部付近に収まるように配設されており、また上下動機構３０は、凹没空間２１の前方に収まるように配設されている。
【００３４】
機構ユニット２２は、ベース２３を有し、該ベース２３には、ターンテーブル回転用のスピンドルモータ２５と、該スピンドルモータ２５の回転軸２５１に固定されたターンテーブル２６と、光学ヘッド（アクチュエータを含む）２４と、該光学ヘッド２７を光ディスク３の半径方向に移動する光学ヘッド移動機構２８とが搭載されている。
【００３５】
ターンテーブル２６は、円盤状の部材であって、その全部または一部は、ディスククランパ５の永久磁石６５により吸着し得る金属（強磁性体）で構成されている。ターンテーブル２６の中心部には、後述する回転子本体６１の底部に形成された嵌合溝６３に嵌合するリング状突部よりなるセンタハブ部２６ａが形成されている。このようなターンテーブル２６とそれを回転するスピンドルモータ２５とで、光ディスク３を回転駆動するディスク回転駆動手段が構成される。
【００３６】
光学ヘッド２７は、光ディスク３からの反射光をミラー等でほぼ直角に屈曲して受光素子へ導く構成の横型の光学ヘッドである。
【００３７】
図２に示すように、光学ヘッド移動機構２８は、正転／逆転可能なモータ２８ａと、該モータ２８ａの駆動により回転するリードスクリュー２８ｂと、モータ２８ａの回転を減速してリードスクリュー２８ｂへ伝達する減速歯車列２８ｃと、リードスクリュー２８ｂの螺旋状溝に係合する係合部材２８ｄを備えたスライダ２８ｅと、該スライダ２８ｅの移動方向を規制するガイド棒２８ｇと、光学ヘッド２７を搭載し、スライダ２８ｅと一体的に形成された載置台２８ｆとで構成されている。リードスクリュー２８ｂおよびガイド棒２８ｇは、それぞれ、その長手方向がディスク装置１Ａの前後方向となるように配置されている。
【００３８】
このような光学ヘッド移動機構２８においては、リードスクリュー２８ｂの螺旋状溝に係合部材２８ｄが係合していることから、モータ２８ａの駆動によりリードスクリュー２８ｂが所定方向に回転すると、スライダ２８ｅがガイド棒２８ｇに沿ってディスク装置１Ａの前後方向に移動し、これにより、載置台２８ｆに固定された光学ヘッド２７が、ディスクトレイ４上に載置された光ディスク３の半径方向に移動する。
【００３９】
なお、スピンドルモータ２５、モータ２８ａおよび後述するモータ３１の駆動は、メイン回路基板組立体１２に設けられた図示しない制御手段（ＣＰＵ）により制御される。
【００４０】
ベース２３は、その後方（装置本体２の奥部側）端部が弾性体（ゴム等）からなるインシュレータ２９ａを介して、シャーシ２０に支持されており、該インシュレータ２９ａの設置箇所を中心にゴムの弾性変形の範囲であらゆる方向に変位可能になっている。
【００４１】
上下動機構３０は、シャーシ２０上の前方側部に設けられた正転／逆転可能なモータ３１と、該モータ３１の回転を減速して伝える減速機構３２と、該減速機構３２を介して回転させられるカムホイール（昇降ギヤ部材）３３と、該カムホイール３３の回転に伴って変位（回動）するベース昇降部材３５とから構成されている。
【００４２】
減速機構３２は、モータ３１の回転軸先端に固定されたほぼ円錐台状のローラ３２ａと、上部にローラ３２ａの外周円錐面と密着する笠状のゴムシートを有するホイール３２ｂと、該ホイール３２ｂの下部に設けられたピニオンギヤ（図示せず）に噛合する大ギヤ３２ｃと、大ギヤ３２ｃの上部に同軸で固定された小ギヤ３２ｄとで構成されている。モータ３１の回転は、この減速機構３２により所定の減速比で減速されてカムホイール３３に伝達される。
【００４３】
図３に示すように、カムホイール３３は、前記減速機構３２の小ギヤ３２ｄと噛合する下側ギヤ３３ａと、ディスクトレイ４の裏面（下面）に前後方向に沿って形成されたラックギヤ４ｂと噛合する上側ギヤ３３ｂとを有している。また、両ギヤ３３ａ、３３ｂ間の軸部外周には、円周方向に沿ってカム溝３４が形成されている。このカム溝３４は、両ギヤ３３ａ、３３ｂの中間に形成されたフランジ３３１と下側ギヤ３３ａとの間に形成された下側カム溝３４ａと、フランジ３３１と上側ギヤ３３ｂとの間に形成された上側カム溝３４ｂと、両カム溝３４ａ、３４ｂを連結する傾斜カム溝３４ｃとで構成されている。この場合、上側カム溝３４ｂは、カムホイール３３のほぼ全周に渡って形成されており、下側カム溝３４ａは、カムホイール３３の中心角が１０〜４５°程度の角度範囲で形成されている。
【００４４】
一方、ベース昇降部材３５は、図２に示されているように、カムホイール３３とベース２３との間に位置している。このベース昇降部材３５は、ほぼ平行に配置された一対のアーム３５ａ、３５ｂとそれらの端部同士を連結する連結部３５ｃとを一体的に形成してなるもので、全体として略Ｃ字状をなしている。連結部３５ｃの両端部には、それぞれ、軸３５ｄ、３５ｅが突出形成されており、これらの軸３５ｄ、３５ｅは、シャーシ２０に回動可能に支持されている。そのため、このベース昇降部材３５は、軸３５ｄ、３５ｅを中心に回動し、これに伴ってアーム３５ａ、３５ｂも軸３５ｄ、３５ｅを中心に回動する。
【００４５】
また、このベース昇降部材３５には、アーム３５ａ、３５ｂの延出側と反対側に、カムホイール３３のカム溝３４に係合する突起状のフォロアー（従動部材）３６が突出形成されている。図３に示すように、フォロアー３６の先端には、球体３６１が形成され、該球体３６１がカム溝３４内に挿入され、カムホイール３３の回転に伴って、カム溝３４内を摺動する。
【００４６】
フォロアー３６が上側カム溝３４ｂと係合している状態では、アーム３５ａ、３５ｂは、軸３５ｄ、３５ｅを中心として下側に回動した位置にあり、一方カムホイール３３の回転に伴ってフォロアー３６が傾斜カム溝３４ｃを経て下側カム溝３４ａに係合すると、アーム３５ａ、３５ｂは、軸３５ｄ、３５ｅを中心として上側に回動した位置へ移動する。
【００４７】
以上のように構成されたベース昇降部材３５のアーム３５ａ、３５ｂには、ベース２３の前方両側部に形成された連結部に取り付けられたインシュレータ２９ｂ、２９ｃがそれぞれ連結されている。そのため、ベース２３は、カムホイール３３の回転に伴うベース昇降部材３５のアーム３５ａ、３５ｂの上下動に伴い、装置本体２の奥部側にあるインシュレータ２９ａの位置を中心として、その前方部分が上側位置と下側位置との間で上下動する。
【００４８】
なお、ディスク装置１Ａは、ベース２３が３個のインシュレータ２９ａ、２９ｂ、２９ｃを介してシャーシ２０に支持された構造となっているので、シャーシ２０からベース２３に伝わる振動の影響を極力少なくすることができる。
【００４９】
ディスクトレイ４は、図１に示すように、浅い凹状のディスク載置部４ａを有しており、光ディスク３は、該ディスク載置部４ａ上に載置され、所望に位置規制された状態で搬送される。
【００５０】
図４に示すように、ディスクトレイ４の裏面には、カムホイール３３の上側ギヤ３３ｂと噛合するラックギヤ４ｂが形成されている。これにより、ディスクトレイ４は、カムホイール３３の回転に伴い、シャーシ２０に対し前後方向に、光ディスクの装填位置と光ディスクの排出位置との間を移動する。そして、光ディスク３のローディング操作では、カムホイール３３が図２中時計回りに回転し、それによりディスクトレイ４が後方に移動し、光ディスク３が装置本体２内に運び込まれる。
【００５１】
さて、シャーシ２０の上部には、ディスククランパ５が設置されている。このディスククランパ５は、上方に向かって開口したコの字型断面を備えた板状の支持部材５０と、該支持部材５０に回転可能に支持される回転子６０とで構成されている。
【００５２】
支持部材５０は、その両端をそれぞれシャーシ２０の取り付け部２０ｃにボス（またはリベット）で止めることにより、シャーシ２０の上部に横方向に架設されている。この支持部材５０のほぼ中央部には、円形の開口５１が形成されている。また、支持部材５０の両側部には、開口５１とケース１４の天板部１４ａの裏面との距離を一定に保つための折り曲げ部５２が上方に向かって立ち上がるように形成されている。
【００５３】
一方、回転子６０は、図７に示すように、有底の扁平なドラム状の回転子本体６１と、該回転子本体６１の内部に収納されたリング状の永久磁石６５と、該永久磁石６５の上面（ターンテーブル２６と反対側の面）に設置されたバックヨーク６６とで構成されている。
【００５４】
回転子本体６１の上部外周には、開口５１の縁部５３に係合する鍔状のリブ６２が形成されている。回転子本体６１の底部下面には、回転子６０とターンテーブル２６との中心合わせを行う中心合わせ手段として、ターンテーブル２６のセンタハブ２６ａが嵌合する嵌合溝６３がリング状に形成されている。これにより、ターンテーブル２６の吸着時に、回転子６０とターンテーブル２６との中心合わせを容易かつ確実に行うことができ、回転時の偏心を防止することができる。
【００５５】
なお、嵌合溝６３の断面形状は、センタハブ２６ａとの嵌合を容易かつ確実になすために、Ｖ字状をなしている。
【００５６】
バックヨーク６６は、永久磁石６５の外径とほぼ同一の直径を有する金属製の円盤で構成され、その所定位置には、複数の孔６７が形成されている。
【００５７】
また、回転子本体６１の中央付近には、バックヨーク６６の各孔６７にそれぞれ挿通されるフック部材（係合手段）６４が上方へ向けて突出形成されている。各フック部材６４の先端に形成された爪部６４１は、バックヨーク６６の上面に係合し、これにより、バックヨーク６６および永久磁石６５が回転子本体６１に対し固定される。このようなフック部材（係合手段）６４を設けることにより、バックヨーク６６および永久磁石６５を回転子本体６１に対し接着、ネジ止め等により固定する必要がなく、回転子６０の組み立てが容易となる。
【００５８】
このようなディスククランパ５において、回転子本体６１の開口５１内に位置する部分の外径をＤ1 、開口５１の直径をＤ2 、リブ６２の外径をＤ3 としたとき（図７参照）、それらは、Ｄ1 ＜Ｄ2 ＜Ｄ3 なる関係を満足するのが好ましい。これにより、回転子６０が支持部材５０から離脱することなく、かつ開口５１内で所定の遊びをもって円滑に回転することができる。
【００５９】
なお、Ｄ1 は、ターンテーブル２６の外径とほぼ等しいかまたはそれより若干大きい程度とするのが好ましい。
【００６０】
ディスククランパ５の組み立ては、支持部材５０を取り付け部２０ｃにおいてシャーシ２０に固定し、一方、回転子本体６１内に永久磁石６５とバックヨーク６６とを挿入し、これらをフック部材６４により回転子本体６１に対し固定して回転子６０を組み立て、この回転子６０を底部（下端部）側から支持部材５０の開口５１内に挿入し、開口５１からディスク装置内部側へ突出させる。このように、ディスククランパ５の組み立ては、極めて容易かつ短時間で行うことができる。
【００６１】
さらに、ディスク装置の組み立て完成時において、図７に示すように、支持部材５０の両折り曲げ部５２の上縁は、ケース１４の天板部１４ａの裏面と当接する。この折り曲げ部５２の上縁と天板部１４ａの裏面との当接により、開口５１の上縁（支持部材５０の上面）とケース１４の天板部１４ａの裏面との距離が一定に保たれ、その間にディスククランパ５の回転子６０を上下動可能に収容する空間を確保することができる。
【００６２】
この空間の高さ方向の寸法は、図７に示すように、回転子６０の高さよりも小さい。即ち、回転子６０が上方向に移動した場合でも、回転子６０が開口５１から離脱しない距離に設定されている。このため、天板部１４ａの裏面は、回転子６０の上方向への移動を規制する手段として機能する。換言すれば、ディスクの記録・再生時にターンテーブル２６が上昇し、回転子６０と吸着した際に、回転子６０が天板の裏面に当接しない距離に設定されている。そのため、回転子６０がディスクの回転の妨げにならず、また回転子６０の開口５１からの離脱も防止できる。
【００６３】
この構成により、回転子６０が開口５１から上方向へ離脱することを防止するためのフランジ等を回転子６０に付設する必要がない。また、天板部１４ａの裏面に回転子６０を下方へ付勢するための付勢手段や、回転子６０の脱落を防止するための部材を独立して設ける必要がない。このため部品点数を減少し、組み立て容易性を確保することにより、製造コストの低減を図ることができる。
【００６４】
さらに、折り曲げ部は、組立工程における回転子の保護ガードとしての機能を備えている。即ち、折り曲げ部の上縁がケースの天板の裏面と当接するため、組立工程においてケースを取り付ける際に天板の裏面が回転子に接触することを阻止する。この接触により回転子が開口から外れ、その状態でケースの組み付け作業が行われることを防止することができる。
【００６５】
このような構成のディスククランパ５では、回転子６０の永久磁石６５の寸法、磁気特性等の設計の幅が広く、特に強力な永久磁石６５を用いることもできるので、光ディスク３の挟持力を増大することができ、４倍速等のディスク回転速度の高速化に十分対応することができる。
【００６６】
また、永久磁石６５がディスククランパ５の回転子６０に内蔵されているため、ターンテーブル２６に永久磁石を設置する必要がなく、ターンテーブル２６の構成を簡素化することができる。
【００６７】
さらに、ケース１４の天板部１４ａに、前述した従来技術のような絞り部１４１ａおよび孔１４１ｂを設ける必要がなくなり、ディスク装置の製造が容易となる。
【００６８】
また、ディスク装置１Ａは、光ディスク３を回転駆動し再生を行っている最中に停電が生じ、光ディスク３の回転が停止したときに、手動でディスクトレイ４を移動し、光ディスク３を排出し得る非常排出機構４０を有している。
【００６９】
この非常排出機構４０は、シャーシ２０の前方部分に回転可能に支持された軸４１と、該軸４１の一端に固定されたほぼ円錐台状のローラ４２と、軸４１を装置前方側へ付勢する板バネ４３とで構成されている。
【００７０】
通常は、板バネ４３の付勢力により軸４１が装置前方側へ移動し、軸４１の他端が装置の前面に突出するとともに、ローラ４２は、前記ホイール３２ｂと非接触の状態にある。なお、軸４１の前方側突出端には、ドライバー（図示せず）が挿入される一文字状の溝が形成されている。
【００７１】
ドライバーを用い、板バネ４３の付勢力に抗して軸４１を押し込むと、これに伴ってローラ４２が後方へ移動し、その外周円錐面がホイール３２ｂの上部のゴムシート（円錐面）に圧着される。この状態を維持しつつ、ドライバーにより軸４１を所定方向に手動で回転すると、ホイール３２ｂが図２中反時計回りに回転し、カムホイール３３が同方向回転し、ディスクトレイ４が前方へ移動する。ディスクトレイ４の前方端部を手で把持して引き出すことにより、それに載置された光ディスク３を取り出すことができる。
【００７２】
以上述べたように、本発明にかかるディスク装置では、ディスクトレイ、ディスククランパおよび回路基板組立体が一体に設けられた機構組立体を、ケースと底板とフロントベゼルからなる筐体に収容する構成としたため、ディスク装置全体の組立や各部品の取り付け作業が容易となり、ディスク装置の構造が簡素化される。
【００７３】
次に、ディスク装置１Ａの作用について説明する。
ディスク装置１Ａの非使用時には、空のディスクトレイ４は、装置本体２内に収納された状態（ディスク装填位置）にある。
【００７４】
この状態でイジェクト操作を行うと、モータ３１が所定方向に回転し、減速機構３２を介してカムホイール３３が図２中反時計回りに回転する。このカムホイール３３の回転により、上側ギヤ３３ｂとディスクトレイ４の裏面のラックギヤ４ｂとが噛合していることから、ディスクトレイ４は、前方へ移動し、開口１４１ｅ、１６ａを通過して、装置本体２から外側に突出した位置（ディスク排出位置）まで移動する。
【００７５】
また同時に、下側カム溝３４ａに位置していた前記ベース昇降部材３５のフォロアー３６が傾斜カム溝３４ｃを上り、上側カム溝３４ｂへ移動する。これにより、フォロアー３６が上方へ変位し、ベース昇降部材３５が軸３５ｄ、３５ｅを中心に回動し、アーム３５ａ、３５ｂが下方へ揺動する。このアーム３５ａ、３５ｂの揺動に伴い、各アームに連結されたインシュレータ２９ｂ、２９ｃを介して、ベース２３の前方部分がインシュレータ２９ａの位置を中心として回動し、機構ユニット２２が下降位置へ移動する。そして、機構ユニット２２に搭載されたターンテーブル２６も、下降位置へ移動し、回転子６０から所定距離離間する。
【００７６】
またこのとき、図５に示すように、ディスククランパ５の回転子６０は、リブ６２が支持部材５０の縁部５３に係合し、回転子６０の底部（下端部）が開口５１から機構ユニット２２側へ突出した状態となっている。
【００７７】
引き出されているディスクトレイ４のディスク載置部４ａに光ディスク３を載置し、ローディング操作を行うと、モータ３１が前記と逆方向に回転し、減速機構３２を介してカムホイール３３が図２中時計回りに回転（逆回転）する。これに伴い、ディスクトレイ４が後方へ移動し、開口１４１ｅ、１６ａを通過して、前記ディスク装填位置まで移動する。これにより、ディスクトレイ４上に位置決めされた状態で載置された光ディスク３も、装置本体２内のディスク装填位置へ搬送される。
【００７８】
また、前記カムホイール３３の逆回転が開始されると、前記ベース昇降部材３５のフォロアー３６が上側カム溝３４ｂに沿って移動し、光ディスク３の中心がターンテーブル２６のセンタハブ部２６ａに接近したとき、該フォロアー３６が傾斜カム溝３４ｃを下り、下側カム溝３４ａへ移動する。これにより、フォロアー３６が下方へ変位し、ベース昇降部材３５が軸３５ｄ、３５ｅを中心に回動し、アーム３５ａ、３５ｂが上方へ揺動する。このアーム３５ａ、３５ｂの揺動に伴い、各アームに連結されたインシュレータ２９ｂ、２９ｃを介して、ベース２３の前方部分がインシュレータ２９ａの位置を中心として回動し、下降位置から上昇位置へ持ち上げられ、機構ユニット２２はほぼ水平状態となる。
【００７９】
これにより、ターンテーブル２６のセンタハブ部２６ａが光ディスク３の中心孔３ａに嵌合し、ターンテーブル２６が光ディスク３の中心部分を支持して持ち上げる。
【００８０】
またこれに伴い、図６および図７に示すように、ディスククランパ５の回転子６０が、内蔵された永久磁石６５によりターンテーブル２６を磁気的に吸着する。これにより、回転子６０とターンテーブル２６との間に光ディスク３の中心部が挟持される。このとき、嵌合溝６３とセンタハブ部２６ａとが嵌合し、回転子６０とターンテーブル２６との中心が一致する。
【００８１】
以上のようにして光ディスク３がディスク装填位置に装着されると、続いてスピンドルモータ２５が作動し、回転子６０とターンテーブル２６との間に挟持された光ディスク３が一定の速度で回転する。また、光学ヘッド２７は、光学ヘッド移動機構２８により所定の位置に移動され、トラッキグ制御およびフォーカス制御がなされつつ光ディスク３の記録面に対し投光・受光を行って、光ディスク３に記録された情報を再生する。
【００８２】
再生を中止し、イジェクト操作を行うと、ディスク装置１Ａの各機構が上述したイジェクト操作と同様に作動し、光ディスク３は、回転子６０およびターンテーブル２６によるクランプが解除され、ディスクトレイ４に載って排出される。
【００８３】
以上、本発明のディスク装置を図示の実施例について説明したが、本発明は、これに限定されるものではない。例えば、ディスククランパにおいて、回転子に設置される永久磁石は、円盤状、棒状のものであってもよく、また、複数の永久磁石を設置してもよい。そして、ヨークの形状も、図示のごとき円盤状に限定されない。さらには、永久磁石が回転子の底面に露出している構成であってもよい。
【図面の簡単な説明】
【００８４】
【図１】本発明のディスク装置の実施例を示す分解斜視図である。
【図２】図１に示すディスク装置の平面図である。
【図３】図１に示すディスク装置におけるカムホイールの構成を示す斜視図である。
【図４】図１に示すディスク装置におけるディスクトレイの裏面の構成を示す底面図である。
【図５】図１に示すディスク装置の光ディスク排出時における断面側面図である。
【図６】図１に示すディスク装置の光ディスク再生時における断面側面図である。
【図７】本発明のディスク装置におけるディスククランパの構成例を示す断面側面図である。
【図８】従来のディスク装置の断面側面図である。
【符号の説明】
【００８５】
１Ａ、１Ｂ      ディスク装置
２              装置本体
３              光ディスク
３ａ            中心孔
４              ディスクトレイ
４ａ            ディスク載置部
４ｂ            ラックギヤ
５              ディスククランパ
１１            底板
１２            メイン回路基板組立体
１３            機構組立体
１４            ケース
１４ａ          天板部
１４１ａ        絞り部
１４１ｂ        孔
１４ｂ、１４ｃ  側板部
１４ｄ          背板部
１４ｅ          前板部
１４１ｅ        開口
１５            枠
１６            フロントベゼル
１６ａ          開口
２０            シャーシ
２０ａ          底部
２０ｂ          壁部
２０ｃ          取り付け部
２１            凹没空間
２２            機構ユニット
２３            ベース
２５            スピンドルモータ
２５１          回転軸
２６            ターンテーブル
２６ａ          センタハブ
２７            光学ヘッド
２８            光学ヘッド移動機構
２８ａ          モータ
２８ｂ          リードスクリュー
２８ｃ          減速歯車列
２８ｄ          係合部材
２８ｅ          スライダ
２８ｆ          載置台
２８ｇ          ガイド棒
２９ａ、２９ｂ、２９ｃ  インシュレータ
３０            上下動機構
３１            モータ
３２            減速機構
３２ａ          ローラ
３２ｂ          ホイール
３２ｃ          大ギヤ
３２ｄ          小ギヤ
３３            カムホイール
３３１          フランジ
３４ａ          下側カム溝
３４ｂ          上側カム溝
３４ｃ          傾斜カム溝
３５            ベース昇降部材
３５ａ、３５ｂ  アーム
３５ｃ          連結部
３５ｄ、３５ｅ  軸
３６            フォロアー
３６１          球体
３８            ディスククランパ
３８１          クランプ用円盤
３８２          板金
３８３          樹脂モールド部
３８４          カシメピン
３８５          カシメネジ
４０            非常排出機構
４１            軸
４２            ローラ
４３            板バネ
５０            支持部材
５１            開口
５２            折り曲げ部
５３            縁部
６０            回転子
６１            回転子本体
６２            リブ
６３            嵌合溝
６４            フック部材
６４１          爪部
６５            永久磁石
６６            バックヨーク
６７            孔
【図１】
2005032437.tif 000003
【図２】
2005032437.tif 000004
【図３】
2005032437.tif 000005
【図４】
2005032437.tif 000006
【図５】
2005032437.tif 000007
【図６】
2005032437.tif 000008
【図７】
2005032437.tif 000009
【図８】
2005032437.tif 000010